(57)【要約】【課題】  複数の光ビームに対して、単一の補正系で電圧源の制御信号を補正する場合に、全ての光ビームに対応する保持手段に精度よく制御値を保持させる。【解決手段】  駆動回路２６の電圧源７６の電圧を補正制御電圧で補正する場合に、従来、この電圧源７６の電圧のベースをドライバＧＮＤ基準としていたが、電圧の基準ベースをドライバＧＮＤから切り離し、独立した基準オフセット端子７２を設け、この基準オフセット端子７２へ補正電圧を供給するようにした。これにより、ドライバＧＮＤの変動による補正電圧の変動がなく、電圧源７６で生成される電圧のベースの増減がなされるため、安定した補正制御が可能となる。また、補正手段５０のシグナルＧＮＤをＩＣパッケージ５２内のドライバＧＮＤ等のグランドとは電気的に切り離し、かつＩＣパッケージ５２の外まで延出して、発光素子１４ＡのＬＤ−ＧＮＤと低インピーダンスで接続したため、補正電圧の設定時に発光素子１４ＡのＬＤ−ＧＮＤの変動に追従させることができ、さらに精度を向上することができる。【選択図】      図２  
2005262475.tif 000002
【特許請求の範囲】
【請求項１】
画像データに基づいて光源から発光する複数の光ビームを走査し、像担持体上に静電潜像を形成した後に現像し、記録媒体上に画像を転写することで画像を形成する画像形成装置に用いられ、前記光源から発光する複数の光ビームの発光を制御する光ビーム発光制御装置であって、
前記各光ビームの発光量を制御する制御信号をそれぞれ個々に保持する複数の保持手段と、
前記それぞれの保持手段に保持された制御信号に基づいて、前記光源から光ビームを発光するように電圧駆動時の電圧を設定する電圧源、電流駆動時の電流を設定する電流源をそれぞれ備えた複数の駆動手段と、
前記電圧駆動時に前記電圧源から出力する点灯時の立ち上がり電圧を補正するための補正電圧を出力端から出力する補正手段とを有し、
前記駆動手段のそれぞれの電圧源で発生する電圧のベースとなる基準信号線を共通化し、この共通とされた基準信号線を前記補正手段の出力端に接続することで、前記補正電圧により前記電圧源で発生する電圧のベースのオフセット量を設定することを特徴とする光ビーム発光制御装置。
【請求項２】
前記複数の保持手段、複数の駆動手段、並びに補正手段が単一のＩＣパッケージ化されて構成されており、前記補正手段のグランドを前記ＩＣパッケージ内のグランドとは、電気的に独立させることを特徴とする請求項１記載の光ビーム光量制御装置。
【請求項３】
前記補正手段のグランドが、前記光源のグランドと低インピーダンスで接続されていることを特徴とする請求項２記載の光ビーム光量制御装置。
【発明の詳細な説明】
【技術分野】
【０００１】
本発明は、画像データに基づいて光源から発光する複数の光ビームを走査し、像担持体上に静電潜像を形成した後に現像し、記録媒体上に画像を転写することで画像を形成する画像形成装置に用いられ、前記光源から発光する複数の光ビームの発光を制御する光ビーム発光制御装置に関するものである。
【背景技術】
【０００２】
従来、画像形成装置では、光源としてレーザーから発光する光ビームを画像データに基づいて照射し、これをポリゴンミラー等の走査手段で走査（主走査）し、ｆθレンズ等の光学系を介して、予め帯電露光された像担持体（感光体ドラム等）へ静電潜像を記録すると共に、トナーを供給して顕像化する現像処理を実行した後、トナー像を所定の記録媒体（記録用紙）に転写することで画像を得るようになっている。
【０００３】
ところで、近年、ＶＣＳＥＬと称される面発光レーザーが、上記画像形成装置の光源として適用されている。この面発光レーザーでは、同時期に複数本（例えば３２本）の光ビームを同一面から照射することが可能となっている。すなわち、複数本の主走査が同時に実行されるため、画像形成の処理速度を飛躍的に向上することができる。
【０００４】
面発光レーザーは、一般のレーザーに比べて、内部抵抗が高いため、従来の端面発光レーザー同様に光量安定性に優れた電流駆動では変調速度が上がらない。そこで、レーザー駆動波形の立ち上がり時、立ち下がり時のみ電圧を印加してその後電流駆動をすることで、変調速度と光量安定性を両立させている（特許文献１参照）。
【０００５】
しかし、面発光レーザーを用いた装置では、多チャンネルの配線をレイアウトする必要があるので、配線の引き回しが長くなり配線の寄生容量が大きくなる。その為、前述のように立ち上がり・立ち下がり時に電圧駆動する駆動制御を行ったとしても、配線寄生容量Cと抵抗（＝スイッチON抵抗Rint＋配線抵抗R1）の時定数（Rint＋R1）ｘＣの影響による波形なまりが、無視できない程度になる（図８の点線補正無し参照）。その結果、バルス幅−積分光量特性（以下、Ｃｉｎ特性という）が理想曲線（直線）よりも低くなる（図７補正無し参照）。
【０００６】
そこで、図６に示される如く、駆動回路１００の電圧源１０２に対して、補正手段１０４を配設し、この補正手段１０４により、電圧駆動時の電圧源１０２の電圧値を補正することが考えられている。
【０００７】
図６に示される如く、駆動回路１００は、定電流源１０６、電圧源１０２、スイッチ１０８、１１０を備えており、前述のように電圧駆動と電流駆動を併用するようにスイッチ１０８を立ち上がり・下がり時のみオン、スイッチ１１０を点灯時常時オンすることで、発光素子ＬＤを発光させる。
【０００８】
補正手段１０４は、補正電流源１１２を備えており、補正制御信号に基づいて電流値が定まるようになっている。また、電圧源１０２は、負荷１１４を介して接地されている。前記補正電流源１１２の出力線は、スイッチ１１６を介して、前記電圧源１０２と負荷１１４との間に接続されている。
【０００９】
ここで、スイッチ１１６がオンされると、負荷１１４に補正電流が流れ、電圧源１０２では、この補正電流源１１２からの電流で負荷１１４の両端にかかる電圧に相当する電圧が増減される。図８にこのような補正の結果、負荷１１４の両端の電圧差すなわち補正電圧がV1になるように補正を行った場合の駆動波形を示した（図９の実践補正有り参照）。電圧駆動を行う立ち上がり時の電圧が、安定動作となる電流駆動時の駆動電圧に対し大きめに補正されたことで、積分光量が増大するように補正がなされている。  この結果、図７に示される如く、補正無しのＣｉｎ特性に対して、電圧Ｖ１の補正がなされると、補正有りのＣｉｎ特性は、理想曲線にほぼ一致することがわかる。これにより、発光素子ＬＤのCin特性を安定して補正することができる。
【特許文献１】特開２００３−３４７６６３公報
【発明の開示】
【発明が解決しようとする課題】
【００１０】
しかしながら、複数の発光素子ＬＤを有する光源（面発光レーザー）において、同時に複数の光ビームを発光する場合、上記図６の回路を並列に接続し、各駆動回路１００毎に負荷１１４へ補正電流源１１２からの電流を流し、グランド（接地）ベースで電圧源の補正電圧を定めていると、それぞれの駆動回路１００のデバイスの特性のばらつき（例えば、トランジスタのしきい値電圧のばらつき）等が原因で補正電流源１１２からの電流値が個々に異なり、補正電圧も個々に異なってしまう。
【００１１】
すなわち、図９に示される如く、上記電圧Ｖ１の補正が必要であるのに、補正電圧にばらつき（ΔＶ）があると、その電圧の変動が各発光素子LDの補正時の光量をばらつかせる原因となる。例えば、補正電圧がＶ２＝（Ｖ１＋ΔＶ）になると、図９に示される如く、補正時の光量が目標光量Ｌ１と異なるので、レーザーの積分光量つまりCin特性が目標と異なってしまう。レーザーの積分光量が画像濃度に変換されるレーザーゼログラフィにおいては、このようにレーザー毎にCin特性がばらついてしまうと画像濃度の走査ライン毎に変動し、特にハーフトーン部で画像すじとなりやすいという問題がある。
【００１２】
本発明は上記事実を考慮し、複数の光ビームに対して、単一の補正系で電圧源の制御信号を補正する場合に、全ての光ビームに対応する保持手段に精度よく制御電圧を印加して補正を行うことができる光ビーム光量制御装置を得ることが目的である。
【課題を解決するための手段】
【００１３】
本発明は、画像データに基づいて光源から発光する複数の光ビームを走査し、像担持体上に静電潜像を形成した後に現像し、記録媒体上に画像を転写することで画像を形成する画像形成装置に用いられ、前記光源から発光する複数の光ビームの発光を制御する光ビーム発光制御装置であって、前記各光ビームの発光量を制御する制御信号をそれぞれ個々に保持する複数の保持手段と、前記それぞれの保持手段に保持された制御信号に基づいて、前記光源から光ビームを発光するように電圧駆動時の電圧を設定する電圧源、電流駆動時の電流を設定する電流源をそれぞれ備えた複数の駆動手段と、前記電圧駆動時に前記電圧源から出力する点灯時の立ち上がり電圧を補正するための補正電圧を出力端から出力する補正手段とを有し、前記駆動手段のそれぞれの電圧源で発生する電圧のベースとなる基準信号線を共通化し、この共通とされた基準信号線を前記補正手段の出力端に接続することで、前記補正電圧により前記電圧源で発生する電圧のベースのオフセット量を設定することを特徴としている。
【００１４】
本発明によれば、複数の駆動手段の電圧源は、補正手段から補正電圧を受けて電圧源のベースのオフセット量が設定されることで補正されて電圧が設定される。このとき、電圧源で発生する電圧のベースとなる基準信号線を共通化して、補正手段の出力端に接続することで、補正手段に適用されるデバイスの変動による各駆動手段へのオフセット量の差異を抑制することができ、各駆動手段での補正電圧を一致させることができる。
【００１５】
本発明において、前記複数の保持手段、複数の駆動手段、並びに補正手段が単一のＩＣパッケージ化されて構成されており、前記補正手段のグランドを前記ＩＣパッケージ内のグランドとは、電気的に独立させることを特徴としている。
【００１６】
このとき、補正手段のグランドをＩＣパッケージ内のグランドと共通にすると、駆動手段による制御状態によって、IC全体の消費電流が変動してグランド信号線の配線抵抗の影響でグランドレベルが変動して、補正手段の補正電圧を変動させる原因となる。そこで、補正手段のグランドをＩＣパッケージ内のグランドとは、電気的に独立させることで、補正手段のグランド変動を抑制して、Cin特性の補正の安定化を図ることができる。
【００１７】
また、本発明において、前記補正手段のグランドが、前記光源のグランドと低インピーダンスで接続されていることを特徴としている。
【００１８】
光源のグランドと補正手段のグランドとを共通とすることで、光源のグランドレベルを基準として、補正電圧を生成することができるので、補正手段と光源のグランドレベルがそれぞれ別々に変動して、正味の補正電圧が変動するのを最低源に抑制できる。
【発明の効果】
【００１９】
以上説明した如く本発明では、複数の光ビームに対して、単一の補正系で電圧源の制御信号を補正する場合に、全ての光ビームに対応する保持手段に精度よく制御電圧を印加してCin特性の補正を行うことができるという優れた効果を有する。
【発明を実施するための最良の形態】
【００２０】
図１には、本発明の光ビーム発光制御装置が適用された画像形成装置１０の走査光学系ユニット１２の概略構成が示されている。
【００２１】
走査光学系ユニット１２は、面発光レーザー（ＶＣＳＥＬ）１４を備えており、同時期に複数本（本実施の形態では３２本）の光ビームを発光可能となっている。
【００２２】
面発光レーザー１４から照射される光ビームの光軸方向下流側には、集光レンズ１６が配設され、この集光レンズ１６を通過した光ビームは、走査光学系としてのポリゴンミラー１８へ入力するようになっている。ポリゴンミラー１８は、図示しないポリゴンモータの駆動力で高速に一定速度で図１の矢印Ａ方向へ回転するようになっている。
【００２３】
このため、ポリゴンミラー１８の複数の反射面（図１では、８面）１８Ａに順次入射し、その反射光は、露光面上の走査速度を補正するｆθレンズ２０や走査方向にレンズパワーを持つ面倒れ補正用のシリンドリカルレンズ２２等により構成された光学系を通過して、感光体ドラム２４上で走査されるようになっている。
【００２４】
感光体ドラム２４は、前記主走査と直交する方向へ回転（副走査）しており、この感光体ドラム２４を回転させながら、主走査を繰り返すことで、感光体ドラム２４上に所定領域の静電潜像を形成することができる。
【００２５】
なお、感光体ドラム２４は、その周囲に帯電部、現像部、転写部（図示省略）が位置しており、帯電部によって一様に帯電された状態で、画像データに応じて発光制御される前記光ビームが照射されることで露光され、現像部によって現像処理されることでトナー像が形成され、転写部において記録媒体（記録用紙）に記録される。
【００２６】
前記走査光学系ユニット１２の面発光レーザー１４は、図３に示す駆動回路２６によって駆動制御されるようになっている。
【００２７】
駆動回路２６は、各光ビームの発光点（発光素子１４Ａ）に対して、１：１の関係で設けられている。
【００２８】
また、本実施の形態では、電圧駆動時における立ち上がり電圧の補正のための補正手段５０（図２参照）を備えている。この補正手段５０では、駆動回路２６で発生する電圧駆動時の電圧を補正して、Ｃｉｎ特性を図７に示す理想曲線（直線）に近似させるようにしている。
【００２９】
図２に、上記補正手段５０、駆動回路２６（図２ではドライバ１〜Ｎと表示）を含めた光ビーム発光制御回路の全体の概略構成を示す。
【００３０】
この光ビーム発光制御回路は、ＩＣとしてパッケージされて構成されている（以下、ＩＣパッケージ５２という）。
【００３１】
駆動回路２６は、同時に発光する発光素子１４Ａの数に対応してＮ個（本実施の形態では、３２個）が併設されている。各駆動回路２６は、複数の入力端と出力端を備えており、ＬＤ−ＯＵＴ端子５４には、発光素子１４Ａの一端（アノード側）が接続されている。この発光素子１４Ａの他端（カソード側）はそれぞれ共通のＬＤグランド信号線５６に接続されている。以下、このグランド信号線５４の接地をＬＤ−ＧＮＤという。
【００３２】
また、各駆動回路２６のＧＮＤ端子（ＧＮＤ−１〜ＧＮＤ−Ｎ）５８は、共通のドライバグランド信号線６０に接続されている。以下、このドライバグランド信号線６０の接地をドライバＧＮＤという。
【００３３】
さらに前記補正手段５０の出力端は、それぞれの駆動回路２６に設けられた基準オフセット端子７２に接続されている。この、基準オフセット端子７２は、前記ドライバＧＮＤとは切り離された状態でそれぞれ補正手段５０の出力端と接続されている。
【００３４】
補正手段５０には、補正制御信号が入力されることで、補正信号（補正電圧）が生成されるようになっている。補正手段５０によって生成された共通の補正信号（補正電圧）は、それぞれの駆動回路２６の基準オフセット端子７２に入力される。
【００３５】
この補正手段５０は、補正グランド信号線７４によって接地されている。以下、この補正グランド信号線７４の接地を、シグナルＧＮＤという。
【００３６】
ここで、シグナルＧＮＤは、ＩＣパッケージ５２の外部へ延出され、前記ＬＤ−ＧＮＤに低インピーダンスで接続されている（図２の一点鎖線参照）。言い換えれば、シグナルＧＮＤは、前記ドライバＧＮＤ等の接地ベースとなるＩＣのグランドとは独立したかたちで、発光素子１４AのＬＤ−ＧＮＤと共通に接地されるようになっている。
また、この前記光ビーム発光制御回路は、発光素子１４Ａの発光光量を検出しフィードバック制御を行い、目標光量になるようにそれぞれ駆動回路２６の制御電圧を設定するＡＰＣ制御機能を有している。以下図２を用いてＡＰＣ制御機能の回路動作を説明する。
【００３７】
複数の発光素子１４Ａの近傍には、光検出器６２が設けられている。光検出器６２は、発光素子１４Ａから発光する光ビームの光量を検出し、電気信号に変換する光電変換素子を備えている。このため、光検出器５２の出力は、発光光量に応じた電流値となる。
【００３８】
光検出器６２の出力信号線６４は、電流電圧変換器Ｉ／Ｖ６６を介して差動増幅器６８のマイナス側入力端に接続されている。
【００３９】
また、差動増幅器６８のプラス側入力端には、基準値（基準電圧Ｖｒｅｆ）が入力されている。
【００４０】
差動増幅器６８では、入力される基準電圧と検出電圧とが入力され、両者の差分が０になるような出力電圧が出力されるようになっている。
【００４１】
この出力電圧が、前記駆動回路２６における発光素子１４Ａを発光するための制御電圧となる。このため、差動増幅器６８の出力端は、各駆動回路２６の制御電圧端子７０に接続されている。
【００４２】
例えば、発光素子１４Ａの発光光量が少ない場合は、差動増幅器６８に入力する検出電圧が低く、基準電圧の方が高い電圧となる。差動増幅器６８の出力は、この電圧差に相当する電圧値が増加された電圧が出力され、これが発光素子１４Ａの発光時の制御電圧となり、発光素子１４Ａは光量が増加する。
【００４３】
逆に、発光素子１４Ａの発光光量が多い場合は、差動増幅器６０に入力する検出電圧が高く、基準電圧の方が低い電圧となる。差動増幅器６０の出力は、この電圧差に相当する電圧値が減少された電圧が出力され、これが発光素子１４Ａの発光時の制御電圧となり、発光素子１４Ａは光量が減少する。
【００４４】
図３には、駆動回路２６における入力端及び出力端の内部接続状態が示されている。なお、図３では、図２に示した入力端及び出力端と対応した関係になっている。
【００４５】
図３に示される如く、駆動回路２６には、発光素子１４Ａに対して、電圧駆動をする時の電圧を印加するのための電圧源７６と、電流駆動をする時の電流を供給する電流源７８とを備えている。
【００４６】
電圧源７６はスイッチ８０を介して、電流源７８はスイッチ８２を介して、ＬＤ−ＯＵＴ端子５４に接続されている。電流源７８は、スイッチ78−2を介して前記制御電圧端子７０と接続されている。
これらスイッチの切り替え動作を図５のタイミングチャートで説明する。まずＡＰＣ時にはスイッチ78-2がオンになり図２のＡＭＰ６８より制御電圧が入力される。ＡＰＣ終了時には保持手段であるサンプルホールドコンデンサ７８−１に目標光量に対応した電流を流すための制御電圧が保持される。また電圧源76の制御電圧として、同様にＡＰＣ時にスイッチ７６−１がオンになり、目標光量で発光している時の発光素子の端子電圧がサンプルホールドコンデンサ８４に保持される。
【００４７】
次に変調時つまり画像形成時には図５のタイミングチャートにあるように、点灯立ち上がり時のみに電圧源側のスイッチ80はオンになり電圧駆動を行う。電流源側のスイッチ８２は常時オンになり、立ち上がり後スイッチ８０がオフになると電流駆動で点灯を行う。画像形成時に前述のようにCin特性の補正を実施する時には、理想のCin特性になるように電圧源の出力電圧値が補正手段50から出力された補正電圧により補正されることになる。
【００４８】
また、電圧源７６は、印加する電圧のベースとなる基準信号線８６が基準オフセット端子７２に接続されており、前述の如く、この基準オフセット端子７２が複数の駆動回路２６のそれぞれの電圧源７６の間で共通としている。
【００４９】
この基準オフセット端子７２の共通化により、補正手段５０から供給される補正電圧に変動があっても、これを全ての駆動回路２６で共通に対応することができ、それぞれの電圧源の出力電圧がばらつくのを抑制することができる。
【００５０】
図４には、補正手段５０の内部構成が示されている。
【００５１】
補正手段５０には、基準電流源８８と補正電流源９０とが設けられており、補正電流源９０には、補正制御信号が入力されている。
【００５２】
また、基準電流源８８と補正電流源９０とは、スイッチ９２を介して接続され、スイッチ９２がオフのときは、基準電流源８８のみの電流が負荷９４にかけられ、スイッチ９２がオンのときは、基準電流源８８の電流と補正電流源９０の電流が重畳されて負荷９４にかけられる。
【００５３】
負荷９４の両端電圧はバッファアンプ９６のプラス側入力端に入力されている。バッファアンプ９６のマイナス側入力端は、出力端と接続されている。
【００５４】
バッファアンプ９６の出力端に接続された信号線９７は、直接駆動回路２６の基準オフセット端子７２（図３参照）に接続されている。
【００５５】
また、バッファアンプ９６のグランド信号線９８はコンデンサ９９と負荷９４の基準側と共通に配線され、前述したように前記ドライバＧＮＤとは独立したかたちのシグナルGNDとして接地される。
【００５６】
コンデンサ９９は、補正手段５０の出力インピーダンスを低下させて、グランドレベルが変動した時に、配線の寄生容量による容量結合で補正手段５０の出力が変動し、駆動回路２６毎の補正電圧が変動することを抑制する役目を有している。
【００５７】
以下に本実施の形態の作用を説明する。
【００５８】
（画像形成プロセス）
まず、感光体ドラム２４は所定の回転速度で回転駆動される。
【００５９】
そして、感光体ドラム２４の表面は、帯電部の所定の帯電レベルの現像バイアス電圧を印加することによって、所定レベルに一様に帯電される。なお、現像バイアスは、直流電圧のみならず、交流成分を直流成分に重畳するように構成されている。
【００６０】
次に、一様な表面電位とされた各感光体ドラム２４の表面に、走査光学系ユニット１２の面発光レーザー１４（発光素子１４Ａ）によって光ビームが照射され、画像データに応じた静電潜像が形成される。
【００６１】
すなわち、発光素子１４Ａから照射された光ビームは、ポリゴンミラー１８によって偏向され、この走査光をｆθレンズ２０等を介して感光体ドラム２４で主走査される。感光体ドラム２４の光ビームによる露光部位の表面電位は所定レベルにまで除電される。
【００６２】
そして、各感光体ドラム２４の表面に形成された静電潜像は対応する現像部によって現像され、各感光体ドラム２４上の静電潜像は、トナー像として可視化される。
【００６３】
次に、各感光体ドラム２４上に形成された各色のトナー像は、転写部によって記録媒体に転写される。なお、記録媒体は加熱定着されることでトナーが定着し、画像形成プロセスが終了する。
【００６４】
（ＡＰＣ制御）
ここで、上記画像形成における主走査のインタバル（画像書込前）には、発光素子１４Ａの光量が目標光量になるように発光素子１４Aの制御電圧を設定するＡＰＣ制御が実行される。このＡＰＣ制御は、複数の発光素子１４Ａに対して順次、すなわち時系列で実行される。
【００６５】
１つの発光素子１４ＡのＡＰＣ制御が終了すると、次々と時系列で選択され、全ての発光素子１４ＡのＡＰＣ制御が終了した時点で画像形成処理が開始される。
【００６６】
ここで、発光素子１４Ａで発光する光ビームの光量の立ち上がり、立ち下がり時の駆動波形にはなまりが発生するので原理的にＣｉｎ特性が理想曲線とならなず補正が必要となる場合がある。。（図７参照）。
【００６７】
そこで図５のタイミングチャートの説明で述べたようにＡＰＣ制御終了後の画像形成制御期間は常時、スイッチ９２（図４参照）をオンして補正制御信号に基づいて設定される補正電流源９０の電流値を、基準電流源８８の電流値に重畳し、負荷９４に重畳された電流を流す。
【００６８】
この結果、負荷９４の両端電圧は補正が加味された電圧となり、この電圧がバッファアンプ９６を介して駆動回路２６の基準オフセット端子７２へと送出される。
【００６９】
駆動回路２６では、この補正電圧によって制御電圧のベースがＡＰＣ制御を行ったときの電圧を基準にして変更され、結果として電圧源の出力電圧が補正される。発光素子１４Ａを発光させる時には、立ち上がり時の電圧駆動時にスイッチ８０をオンにして補正電圧を印加して、その後は電流源側スイッチ１０８のみオンにして安定な電流駆動を行う（図３、図５タイミングチャートより）。
【００７０】
上記補正を実行することで、図７に示される如く、補正無しのＣｉｎ特性に対して、電圧源の駆動電圧Ｖ１の補正がなされると、補正有りのＣｉｎ特性は、理想曲線にほぼ一致することがわかる。これにより、発光素子１４Ａを駆動する際に、安定してCin特性の補正を行うことができる。
【００７１】
すなわち、本実施の形態では、ＩＣパッケージ５２によって構成した光ビーム光量制御装置において、各駆動回路２６の電圧源７６（図３参照）の基準オフセット端子７２は、ドライバＧＮＤとは切り離された状態で共通に補正手段５０の出力端と接続されている。      
【００７２】
このため、補正手段５０によって生成された共通の補正信号（補正電圧）は、それぞれの駆動回路２６の電圧源７６の基準オフセットを共通に設定することになるため、安定した補正が可能となる。
【００７３】
また、本実施の形態では、補正手段５０のシグナルＧＮＤを、ＩＣパッケージ５２内のグランド（ドライバＧＮＤ）とは、電気的に独立しておりドライバＧＮＤの変動に左右されない構成となっている。このため、補正手段５０で生成される補正電圧は、ばらつきが生じにくい。
【００７４】
さらに、本実施の形態では、ＩＣパッケージ５２内のグランドとは電気的に独立させるのみならず、ＩＣパッケージ５２の外部まで延出し、発光素子１４Ａの共通のＬＤ−ＧＮＤと低インピーダンスで接続した。
【００７５】
すなわち、補正手段５０のシグナルＧＮＤを、発光素子１４ＡのＬＤ−ＧＮＤと共通とすることで、補正手段と光源のグランドレベルがそれぞれ別々に変動して、正味の補正電圧が変動するのを最低限に抑制でき、、さらに精度の高い補正電圧を生成することができる。
【００７６】
以上説明したように本実施の形態では、複数のレーザーを駆動するため複数の駆動回路２６の電圧源７６の電圧を補正制御電圧で補正する場合に、従来、この電圧源７６の電圧のベースをドライバＧＮＤ基準としていたが、電圧の基準ベースをドライバＧＮＤから切り離し、独立した基準オフセット端子７２を設け、この基準オフセット端子７２を複数の駆動回路間で共通に接続して、このオフセット端子７２へ補正電圧を供給するようにした。これにより、ドライバＧＮＤの変動による補正電圧の変動やレーザー間での補正電圧のばらつきがなく、電圧源７６で生成される電圧のベースの増減がなされるため、安定した補正制御が可能となる。
【００７７】
また、補正手段５０のシグナルＧＮＤをＩＣパッケージ５２内のドライバＧＮＤ等のグランドとは電気的に切り離し、かつＩＣパッケージ５２の外まで延出して、発光素子１４ＡのＬＤ−ＧＮＤと低インピーダンスで接続したため、補正電圧の設定時に発光素子１４ＡのＬＤ−ＧＮＤとシグナルGNDほぼ同一に設定でき、さらに精度を向上することができる。
【図面の簡単な説明】
【００７８】
【図１】本実施の形態に係る画像形成装置の概略構成図である。
【図２】本実施の形態に係るＩＣパッケージ化された光ビーム発光制御装置の概略構成図である。
【図３】入出力端子の配線状態を示す駆動回路の構成図である。
【図４】補正回路の構成図である。
【図５】図３及び図４におけるスイッチングタイミングチャートである。
【図６】従来例に係る光ビーム発光制御装置の構成図である。
【図７】発光素子の発光制御のデューティー−積分光量特性図である。
【図８】時間−発光量特性図である。
【図９】電圧源−光量特性図である。
【符号の説明】
【００７９】
１０  画像形成装置
１２    走査光学系ユニット
１４    面発光レーザー
１４Ａ    発光素子
１８    ポリゴンミラー
２４    感光体ドラム
２６    駆動回路（駆動手段）
５０    補正手段
５２    ＩＣパッケージ
５４    ＬＤ−ＯＵＴ端子
５６    ＬＤグランド信号線
５８    ＧＮＤ端子
６０    ドライバグランド信号線
６２    光検出器
６４    出力信号線
６６    Ｉ／Ｖ
６８    差動増幅器
７０    制御電圧端子
７２    基準オフセット端子
７４    補正グランド信号線
７６    電圧源
７８    基準電流源
８４    サンプルホールドコンデンサ（保持手段）
８６    基準信号線
８８    基準電流源
９０    補正電流源
【図１】
2005262475.tif 000003
【図２】
2005262475.tif 000004
【図３】
2005262475.tif 000005
【図４】
2005262475.tif 000006
【図５】
2005262475.tif 000007
【図６】
2005262475.tif 000008
【図７】
2005262475.tif 000009
【図８】
2005262475.tif 000010
【図９】
2005262475.tif 000011